(57)【要約】 【課題】  ケース内部への水の侵入を回避できる電気接続箱を提供することを目的とする。【解決手段】  カバー部４０の上壁部４２における裏面側の端縁に、上側に向かって突出する鍔部５０が備えられている。そして、フレーム２１にカバー部４０が組み付けられた状態では、鍔部５０が上枠部２１Ｔの下側に潜り込む。そして、上枠部２１Ｔの側端面２７と、鍔部５０の外面５０Ａの上端部（窪み部５２が形成されていない部分）とが面一となっている。このような構成によれば、ケース２０の側面へ伝わってきた水は、上枠部２１Ｔの側端面２７から鍔部５０の外面５０Ａへ伝わってまっすぐに落下していき、上枠部２１Ｔと鍔部５０との合わせ目位置にいつまでも止まることがない。これにより、フレーム２１とカバー部４０との合わせ目から水がケース２０の内部に侵入することを回避できる。【選択図】  図１
2007068374.tif 000002
【特許請求の範囲】
【請求項１】
回路構成体と、この回路構成体を収容するケースとを備えた電気接続箱であって、
前記ケースが、側面方向に開口するとともに内部に前記回路構成体を収容する第１ケース部材と、前記第１ケース部材の開口部を覆蓋する第２ケース部材とを備え、
前記第２ケース部材において前記第１ケース部との対向面側の上縁部には前記第１ケース部材の開口上縁部の下側に潜り込む潜り部が備えられ、
前記潜り部の外面が前記第１ケース部材の開口上縁部の側端面と面一かそれよりも奥まった位置にあることを特徴とする電気接続箱。
【請求項２】
前記潜り部の外面に窪み部が設けられていることを特徴とする請求項１に記載の電気接続箱。
【発明の詳細な説明】
【技術分野】
【０００１】
本発明は、電気接続箱に関する。
【背景技術】
【０００２】
自動車に搭載される電気接続箱として、回路構成体をケースに収容した構造のものがある。回路構成体は、回路基板と、回路基板の裏面に沿って配索したバスバーと、回路基板の表面側に実装されるリレー等のスイッチング部材とを備える。ケースは、回路基板に対しその周縁に沿うように固定されるフレームと、フレームに対し回路基板を表面側から覆うように組み付けられるカバー部と、回路基板の裏面に固着されてフレーム裏面側の開口を塞ぐ放熱板を備える。バスバーの端部は、回路基板の外方に延出された後、ケースに設けられたコネクタハウジング内に導入されて、相手側コネクタと接続するための端子とされている。
【０００３】
尚、電気接続箱としては、特許文献１に開示されているもの等がある。
【特許文献１】特開２００３−１６４０３９公報
【発明の開示】
【発明が解決しようとする課題】
【０００４】
この種の電気接続箱では、結露等によってケースの上面に水が溜まることがあるが、ケースの上面に溜まる水の量が多くなると、その水がケースの内部へ侵入するおそれがある。特に、カバーをフレームの側面方向から組み付ける構成となっている場合、カバーとフレームとの合わせ目がケース上面側に存在することとなるので、この合わせ目から水が内部へ侵入することが懸念される。
【０００５】
本発明は上記のような事情に基づいて完成されたものであって、ケース内部への水の侵入を回避できる電気接続箱を提供することを目的とする。
【課題を解決するための手段】
【０００６】
上記の課題を解決するための請求項１の発明に係る電気接続箱は、回路構成体と、この回路構成体を収容するケースとを備えた電気接続箱であって、前記ケースが、側面方向に開口するとともに内部に前記回路構成体を収容する第１ケース部材と、前記第１ケース部材の開口部を覆蓋する第２ケース部材とを備え、前記第２ケース部材において前記第１ケース部との対向面側の上縁部には前記第１ケース部材の開口上縁部の下側に潜り込む潜り部が備えられ、前記潜り部の外面が前記第１ケース部材の開口上縁部の側端面と面一かそれよりも奥まった位置にあることを特徴とする。
【０００７】
請求項２の発明は、請求項１に記載の電気接続箱であって、前記潜り部の外面に窪み部が設けられていることを特徴とする。
【発明の効果】
【０００８】
請求項１の発明によれば、少なくとも潜り部の外面が第１ケース部材の開口上縁部の側端面と面一となる位置にあれば、ケース側面へ伝わってきた水が第１ケース部材の開口上縁部から潜り部の外面を伝わってまっすぐに落下していき、第１ケース部材と第２ケース部材との合わせ目位置にいつまでも止まることがない。これにより、第１ケース部材と第２ケース部材との合わせ目から水がケース内に侵入することを回避できる。また、潜り部の外面が第１ケース部材の開口上縁部の側端面よりも奥まった位置にあれば、第１ケース部材の開口上縁部がひさしの役割を果たすから、第１ケース部材と第２ケース部材との合わせ目から水がケース内に侵入することを回避できる。
【０００９】
請求項２の発明によれば、潜り部の外面には窪み部が設けられている。このような構成によれば、ケース側面へ伝わってきた水はこの窪み部に引き込まれて落下していき、第１ケース部材と第２ケース部材との合わせ目位置にいつまでも止まることがない。これにより、第１ケース部材と第２ケース部材との合わせ目から水がケース内に侵入することを回避できる。
【発明を実施するための最良の形態】
【００１０】
以下、本発明を具体化した実施形態を図１〜図５を参照して説明する。本実施形態の電気接続箱１は、自動車に搭載され、バッテリ（図示せず）とランプ、オーディオ等の電装品（図示せず）との間に介設され、バッテリから供給される電力を各電装品に分配・供給するとともに、これら電力供給の切り替え等の制御を行うものである。図１〜図３においては、電気接続箱１を表面側が上向きとなるように描いているが、自動車に搭載された状態では、この電気接続箱１は、図４及び図５に示すように、ヒューズブロック３０の本体部３１が上側に位置し、ヒューズブロック３０のアーム部３２が下方へ延出する向きとなる。以下、上下左右の向きについては、自動車に搭載された状態を基準として説明する。また表裏方向については、カバー部４０側を表面側とし、放熱板２８側を裏面側とする。
【００１１】
電気接続箱１は、回路構成体１０と、回路構成体１０を収容するケース２０とを備えて構成される。
【００１２】
回路構成体１０は、板面を鉛直方向に向けて配される回路基板１１と、回路基板１１の裏面（図５における右面）に沿って配索した複数のバスバー１２と、回路基板１１の表面側（図５における左面側）に実装されるリレーなどのスイッチング部材１３とを備えて構成されている。バスバー１２は回路基板１１の裏面に接着シートＳを介して接着されており、バスバー１２の端部に形成した第１端子部１４が回路基板１１の上端縁から突出されているとともに、同じくバスバー１２の端部に形成した第２端子部１５が回路基板１１の下端縁から突出されている。また、バスバー１２の４隅には、回路構成体１０を後述のフレーム２１に熱かしめするための取付片１７が設けられている。各取付片１７は、バスバー１２の上端縁および下端縁からそれぞれ上下に突出されて、クランク状に折り曲げられている。
【００１３】
ケース２０は、回路基板１１の周縁に沿って回路構成体１０を全周に亘って包囲する枠状のフレーム２１（本発明の第１ケース部材に該当）と、フレーム２１の裏面側に取り付けられる金属製の放熱板２８と、フレーム２１に対し上側から組み付けられる合成樹脂製のヒューズブロック３０と、フレーム２１に対し表面側の開口部２２Ｓを塞ぐように組み付けられる合成樹脂製のカバー部４０（本発明の第２ケース部材に該当）と、ヒューズブロック３０に組み付けられる合成樹脂製の第１ハウジング３３と、フレーム２１の下縁部に組み付けられる合成樹脂製の第２〜第４ハウジング３４、３５、３６とを備える。
【００１４】
フレーム２１は、合成樹脂等の絶縁材料より、略方形の枠状に形成されている。フレーム２１において回路基板１１の左右両側縁に沿う左枠部２１Ｌ、２１Ｒからは、その内縁に沿って側壁２３Ｌ、２３Ｒが表面側に向かって立ち上げられている。左右両側壁２３Ｌ、２３Ｒの外面には、後述するカバー部４０のロック片４５と係合するロック突起２４が設けられている。
【００１５】
フレーム２１の裏面側には、金属製の放熱板２８が取り付けられている。放熱板２８は、回路基板１１と概ね相似形であり、フレーム２１の裏面に、裏面側の開口部２２Ｒを塞ぐようにして固定されている。回路構成体１０は、このフレーム２１と放熱板２８とで構成される浅皿状の容器内に収容されており、バスバー１２の裏面が放熱板２８の表面に接着剤（図示せず）により固着されている。
【００１６】
フレーム２１において回路基板１１の上縁部に沿う上枠部２１Ｔ（本発明の開口上縁部に該当）は表面方向に僅かに張り出して形成されており、その表面および下面には、バスバー１２の上端に設けられた第１端子部１４の配設位置に対応して溝部２５が凹設されている。そして、各第１端子部１４が、クランク状に曲げられてこの溝部２５の底面に沿うように配されている。なお、上枠部２１Ｔの下面には、左右両側縁よりやや内側位置に、それぞれ上側へ凹むとともに下面側および表面側に開口する取付凹部２６が凹設されており、ここには、バスバー１２の取付片１７のうち上端側に形成された２つが収容されている。また、下枠部２１Ｂの表面には、バスバー１２の取付片１７のうち下端側に形成された２つが熱かしめされている。
【００１７】
ヒューズブロック３０は、フレーム２１の上面に沿って配されるとともにその表側部分がカバー部４０よりも表面方向に突出する横長形状の本体部３１と、この本体部３１の左右両端部から下方へ片持ち状に延出する形態の一対のアーム部３２とからなる。
【００１８】
本体部３１の上面には、図示しないヒューズを収容するための左右２つの収容部が、上方へ方形ブロック状に突出し、且つ上面側へ開放された形態で形成されている。また、この本体部３１には、第１端子部１４の上端部が下側から差し込まれている。
【００１９】
このヒューズブロック３０において表面方向に突出した部分には、第１ハウジング３３が下側から組み付けられている。第１ハウジング３３には、下側に開口する筒合嵌部が備えられており、ここに外部コネクタを嵌合することができるようになっている。この嵌合筒部内には端子金具３７の略下側半分が収容され、この端子金具３７の略上側半分は本体部３１内に下側から差し込まれている。端子金具３７と第１端子部１４とは、本体部３１内においてヒューズおよび中継端子１６を介して接続されている。
【００２０】
カバー部４０は、全体として回路基板１１とほぼ相似形であって、回路基板１１よりも一回り大きく形成された板状の蓋板部４１と、この蓋板部４１の４辺からそれぞれ裏面側（フレーム２１側）に向かって立ち上げられた上壁部４２、下壁部４３、および左右両側壁部４４Ｌ、４４Ｒを備え、全体として浅皿状をなす。このカバー部４０は、フレーム２１に対して表面側（側面方向）から組み付けられ、組付け状態ではフレーム２１内に収容されている回路基板１１の表面側を覆い隠す。
【００２１】
カバー部４０の両側壁部４４Ｌ、４４Ｒには、フレーム２１のロック突起２４に対応する位置に、それぞれロック片４５が設けられている。このロック片４５は、側壁部４４Ｌ、４４Ｒの下端から切り込まれた一対のスリット間に形成された切り込み片であって、外方に弾性変形可能とされているとともに、その内面には図示しないロック爪が突設されている。カバー部４０がフレーム２１に組み付けられる際には、フレーム２１の両側壁２３Ｌ、２３Ｒがカバー部４０の側壁部４４Ｌ、４４Ｒの内側に入り込み、ロック爪がロック突起２４を乗り越えてその裏面に係止されることで、両者が正規の組み付け状態に保持される。
【００２２】
カバー部４０における蓋板部４１の下部は左右両端部を残して外側方向（図５の左方）に膨出されており、この膨出部はコネクタフード部４６とされている。このコネクタフード部４６は下方に開放された３つのフード４７に仕切られており、各フード４７内には、それぞれ第２〜第４ハウジング３４、３５、３６が配される。第２〜第４ハウジング３４、３５、３６は、それぞれ下方に開口する嵌合筒部を有し、この嵌合筒部内には、それぞれ図示しない相手側コネクタが組み付けられるようになっている。
【００２３】
カバー部４０の上壁部４２は、表面側に向かって下る勾配をなしており、その上面には、複数の倒れ規制部４８が複数の第１端子部１４と対応するように並列して形成されている。倒れ規制部４８は、その板面が第１端子部１４の並び方向と直角な平板状をなし、その上縁部を第１端子部１４の下面に対して下方から当接させることで、第１端子部１４を下方から支承している。さらに、カバー部４０の上壁部４２において左右方向中央位置には、箱状の変位規制部４９が膨出形成されている。この変位規制部４９内には、フレーム２１の上側から係合するロック部（図示せず）が設けられており、これにより、カバー部４０がフレーム２１に対して相対的に下方へ変位することが規制される。これらにより、第１端子部１４の下方への倒れが規制されている。
【００２４】
上壁部４２における裏面側（カバー部４０の開口部側）の端縁には、上側に向かって延びる鍔部５０（本発明の潜り部に該当）が全幅にわたって設けられている。この鍔部５０の上縁における左右両端部には、上記したフレーム２１の取付凹部２６の内部に嵌まり込む取付突部５１が上方へ突出形成されている。また、この鍔部５０の表面、すなわちフレーム２１に組み付けた際にケース２０の外側面となる外面５０Ａには、上端よりもやや下側位置に、裏面側（フレーム２１側）に凹む窪み部５２がほぼ全幅にわたって設けられている。フレーム２１にカバー部４０が組み付けられた状態では、鍔部５０が上枠部２１Ｔの下側に潜り込む。そして、上枠部２１Ｔの表面（側端面２７）と、鍔部５０における外面５０Ａの上端部（窪み部５２が形成されていない部分）とが面一となっている。
【００２５】
本実施形態においては、カバー部４０の上壁部４２における裏面側の端縁に、上側に向かって突出する鍔部５０が備えられている。そして、フレーム２１にカバー部４０が組み付けられた状態では、鍔部５０が上枠部２１Ｔの下側に潜り込む。このとき、上枠部２１Ｔの側端面２７と、鍔部５０の外面５０Ａとが面一となっている。このような構成によれば、ケース２０の側面へ伝わってきた水は、上枠部２１Ｔの側端面２７から鍔部５０の外面５０Ａへ伝わってまっすぐに落下していき、上枠部２１Ｔと鍔部５０との合わせ目位置にいつまでも止まることがない。これにより、フレーム２１とカバー部４０との合わせ目から水がケース２０の内部に侵入することを回避できる。
【００２６】
また、鍔部５０の外面５０Ａには窪み部５２が設けられている。このような構成によれば、フレーム２１の上枠部２１Ｔから鍔部５０の外面５０Ａを伝わってきた水はこの窪み部５２に引き込まれて落下していき、上枠部２１Ｔと鍔部５０との合わせ目位置にいつまでも止まることがない。これにより、フレーム２１とカバー部４０との合わせ目から水がケース２０の内部に侵入することを回避できる。
【００２７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２８】
（１）上記実施形態によれば、鍔部５０の外面５０Ａが上枠部２１Ｔの側端面２７と面一となっているが、鍔部の外面５０Ａの位置は本実施形態の限りではなく、上枠部の側端面から奥まった位置にあっても良い。このような構成によれば、上枠部がひさしの役割を果たすから、第１ケース部材と第２ケース部材との合わせ目から水がケース内に侵入することを回避できる。
【００２９】
（２）上記実施形態では、鍔部５０には窪み部５２が設けられていたが、窪み部は特に設けられていなくても構わない。
（３）上記実施形態では、第１ケース部材は表面側と裏面側とに開口したフレーム２１であったが、第１ケース部材の形状は上記実施形態の限りではなく、例えば第２ケース部材との組み付け側のみに開口した箱状であっても良い。
【図面の簡単な説明】
【００３０】
【図１】実施形態の電気接続箱の全体斜視図
【図２】実施形態の電気接続箱の分解斜視図
【図３】実施形態の電気接続箱からヒューズブロックを外した状態を表す斜視図
【図４】実施形態の電気接続箱からヒューズブロックを外した状態を表す正面図
【図５】図４のＡ−Ａ側断面図
【符号の説明】
【００３１】
１…電気接続箱
１０…回路構成体
２０…ケース
２１…フレーム（第１ケース部材）
２１Ｔ…上枠部（開口上縁部）
２２Ｓ…開口部
２７…側端面
４０…カバー部（第２ケース部材）
５０…鍔部（潜り部）
５０Ａ…外面
５２…窪み部
【図１】
2007068374.tif 000003
【図２】
2007068374.tif 000004
【図３】
2007068374.tif 000005
【図４】
2007068374.tif 000006
【図５】
2007068374.tif 000007